(57)【特許請求の範囲】
【請求項１】
ボウル部と、
前記ボウル部に洗浄水を供給する給水部と、
前記ボウル部に溜まった前記洗浄水を排出させる排出部と、
前記給水部及び前記排出部を制御する制御装置と、を備え、
前記制御装置は、前記給水部が前記ボウル部に前記洗浄水を連続して供給する間に、前記排出部が前記洗浄水を排出させる動作を複数回行い、かつ、前記排出部が前記洗浄水を排出させる１回目の動作のときの第一排水量と、前記排出部が前記洗浄水を排出させる２回目の動作のときの第二排水量との比が、１：０．２から１：１．２の範囲となるように、前記給水部及び前記排出部を制御する水洗便器であって、
前記ボウル部の底部につながった可動式の排水トラップを更に備え、
前記排出部は、前記排水トラップを、前記洗浄水が排出される下位置と、前記洗浄水が前記ボウル部の所定の封水高さまで溜めることができる上位置との間で移動させる移動装置であり、
前記制御装置は、前記排出部が前記洗浄水を排出する前記１回目の動作と前記２回目の動作の間に、前記下位置にある前記排水トラップを、前記下位置と前記上位置との間の位置であって、前記洗浄水が前記ボウル部の前記所定の封水高さよりも低い第二封水高さまで溜まる中間位置に移動させる制御を行うことを特徴とする水洗便器。
【請求項２】
ボウル部と、
前記ボウル部に洗浄水を供給する給水部と、
前記ボウル部の底部につながった固定式の排水トラップと、
前記ボウル部に溜まった前記洗浄水を排出させる排出部と、
前記給水部及び前記排出部を制御する制御装置と、を備え、
前記制御装置は、前記給水部が前記ボウル部に前記洗浄水を連続して供給する間に、前記排出部が前記洗浄水を排出させて、前記排水トラップにサイホン作用を生じさせる動作を複数回行い、かつ、前記排出部が前記洗浄水を排出させる１回目の動作のときの第一排水量と、前記排出部が前記洗浄水を排出させる２回目の動作のときの第二排水量との比が、１：０．２から１：１．２の範囲となるように、前記給水部及び前記排出部を制御することを特徴とする水洗便器。
【請求項３】
前記排出部は、前記ボウル部の底部から前記排水トラップに向けて水を噴射する噴射装置であることを特徴とする請求項２に記載の水洗便器。
【発明の詳細な説明】
【技術分野】
【０００１】
本開示は、水洗便器に関し、詳しくは、洗浄水を排出させる動作を複数回行う水洗便器に関する。
【背景技術】
【０００２】
特許文献１には、洗浄水タンク装置から大便器本体への洗浄水の供給を１回実施する通常洗浄モードと、２回実施する複数回洗浄モードと、を備える大便器装置が記載されている。
【０００３】
この大便器装置では、大便器本体内の溜水の水位が基準水位よりも高かった場合に、複数回洗浄モードを実施することで、大便器本体内および大便器本体に接続された排水配管内の異物詰まりを抑制している。
【０００４】
複数回洗浄モードでは、まず、洗浄水タンク装置内の洗浄水が大便器本体に供給される。その後、洗浄水タンク装置の排水口が閉鎖されて、洗浄水タンク装置に洗浄水が給水される。その後、洗浄水タンク装置から大便器本体に２回目の洗浄水が供給される。
【０００５】
これにより、この大便器装置では、排水配管内に停滞した汚物と１回目の洗浄水に、２回目の洗浄水が印加されるようにして、高い搬送性能を得るようにしている。
【先行技術文献】
【特許文献】
【０００６】
【特許文献１】特開２０１８−１９９９５５号公報
【発明の概要】
【発明が解決しようとする課題】
【０００７】
ところで、上述した特許文献１に記載の大便器装置は、固定式のトラップを有しており、この固定式のトラップを通じて排水を行うために、洗浄水タンク装置からの１回目の洗浄水の水量として、ある程度の量（例えば４．８リットル）が必要である。更にこの大便器装置では、排水配管での異物詰まりを抑制するために、洗浄水タンク装置からの２回目の洗浄水の水量としても、ある程度の量（例えば３．２リットル）が必要である。そのため、この大便器装置の複数回洗浄モードでは、洗浄水タンク装置の容量を越える量（例えば８．０リットル）の洗浄水が必要であるため、排水配管内の汚物の搬送性を確保できるものの、節水を図ることが難しいという問題があった。
【０００８】
また、この大便器装置の複数回洗浄モードでは、１回目の洗浄水の供給が終わった後、洗浄水タンク装置の排水口を閉鎖して洗浄水タンク装置に洗浄水を溜めてから、２回目の洗浄水を供給する。そのため、この大便器装置の複数回洗浄モードでは、１回目の洗浄水の供給と２回目の洗浄水の供給とが非連続に行われることになり、利用者には、大便器本体に洗浄水を２回流しているように見える。
【０００９】
上記事情に鑑みて、本開示は、節水ができるうえ、水洗便器に接続される横引きの排水配管内における汚物の搬送性を確保することができる水洗便器を提供することを、目的とする。
【課題を解決するための手段】
【００１０】
上記課題を解決するための本開示の一態様に係る水洗便器は、ボウル部と、前記ボウル部に洗浄水を供給する給水部と、前記ボウル部に溜まった前記洗浄水を排出させる排出部と、前記給水部及び前記排出部を制御する制御装置と、を備える。前記制御装置は、前記給水部が前記ボウル部に前記洗浄水を連続して供給する間に、前記排出部が前記洗浄水を排出させる動作を複数回行い、かつ、前記排出部が前記洗浄水を排出させる１回目の動作のときの第一排水量と、前記排出部が前記洗浄水を排出させる２回目の動作のときの第二排水量との比が、１：０．２から１：１．２の範囲となるように、前記給水部と前記排出部とを制御する。
【発明の効果】
【００１１】
本開示の一態様に係る水洗便器は、節水ができるうえ、水洗便器に接続される横引きの排水配管内における汚物の搬送性を確保することができる。
【図面の簡単な説明】
【００１２】
【図１】図１ＡからＤは、本開示に係る実施形態１の水洗便器の動作を順に示す概略的な側断面図である。
【図２】図２は、同上の水洗便器の動作を示すタイムチャートである。
【図３】図３は、同上の水洗便器の第一排水量と第二排水量と最終到達距離の関係を示す図である。
【図４】図４ＡからＤは、本開示に係る実施形態２の水洗便器の動作を順に示す概略的な側断面図である。
【図５】図５は、同上の水洗便器の動作を示すタイムチャートである。
【図６】図６ＡからＤは、本開示に係る実施形態３の水洗便器の動作を順に示す概略的な側断面図である。
【図７】図７は、同上の水洗便器の動作を示すタイムチャートである。
【発明を実施するための形態】
【００１３】
１．実施形態１
１−１．概要
図１ＡからＤに示す実施形態１の水洗便器１は、ボウル部２と、ボウル部２に洗浄水を供給する給水部３と、ボウル部２に溜まった洗浄水を排水配管へと排出させる排出部４と、給水部３及び排出部４を制御する制御装置５と、を備える。制御装置５は、給水部３がボウル部２に洗浄水を連続して供給する間に、排出部４が洗浄水を排出させる動作を複数回行い、かつ、排出部４が洗浄水を排出させる１回目の動作のときの第一排水量Ｌ１と、排出部４が洗浄水を排出させる２回目の動作のときの第二排水量Ｌ２との比が、１：０．２から１：１．２の範囲となるように、給水部３及び排出部４を制御する。
【００１４】
上記構成を備える実施形態１の水洗便器１では、給水部３からボウル部２に洗浄水を連続して供給する間に、水洗便器１に接続される横引きの排水配管に洗浄水を複数回に分けて流すことができる。これにより、実施形態１の水洗便器１では、１回目の洗浄水の排水と２回目の洗浄水の排水の間隔を短くできるため、排水配管内において１回目の洗浄水と汚物が停滞する前に２回目の洗浄水の流れを追いつかせやすい。そのため、実施形態１の水洗便器１では、２回目の洗浄水の水量を抑えることができる。加えて、実施形態１の水洗便器１では、２回目の洗浄水の流れによって１回目の洗浄水の流れの搬送性を高めることができるため、１回目の洗浄水の水量も抑えることができる。したがって、実施形態１の水洗便器１では、節水ができるうえ、排水配管内における異物の搬送性を確保しやすい。また実施形態１の水洗便器１では、１回目と２回目の洗浄水の排水量Ｌ１，Ｌ２の比が上記関係にあるため、２回目の洗浄水の排水量が少な過ぎて搬送性の確保に寄与できなくなることを防ぐことができる。
【００１５】
１−２．詳細
続いて、図１ＡからＤに示す本実施形態の水洗便器１について、更に詳しく説明する。以下では、水洗便器１に座った利用者から見た方向を基準に、前後方向及び上下方向を定義して、各構成について説明する。
【００１６】
水洗便器１は、ボウル部２、給水部３、排出部４及び制御装置５に加えて、ボウル部２の底部につながった可動式の排水トラップ６を更に備える。排出部４は、排水トラップ６を、洗浄水を排出させる下位置と、ボウル部２内に洗浄水を所定の封水高さＳ１まで溜めることができる上位置との間で移動させる移動装置７である。水洗便器１は更に、ボウル部２の上端と一体のリム１０と、リム１０と一体でボウル部２の周囲を覆うスカート１１と、リム１０の上に載置される便座１２と、便座１２を覆う便蓋１３と、便座１２と便蓋１３を回転自在に支持する上部ケース１４と、を備える。
【００１７】
１−２−１．ボウル部
ボウル部２は、その底部に、後方に突出する円筒状の筒部２０を有し、筒部２０の先端部（後端部）に、後方に向けて開口する排水口２１を有する。
【００１８】
１−２−２．給水部
給水部３は、ボウル部２の上端部からボウル部２の内周面に沿うように洗浄水を吐出する吐出ノズル３０と、給水源３１に接続されて吐出ノズル３０に給水を行う給水管３２と、給水管３２の途中に設けられた電磁弁３３と、を有する。電磁弁３３は、制御装置５によってその開度が制御される。給水源３１は、本実施形態では、水道管である。
【００１９】
１−２―３．排出部
排出部４を構成する移動装置７は、可動式の排水トラップ６を下位置と上位置との間で移動させるように構成されている。
【００２０】
排水トラップ６は、蛇腹状の弾性体の筒体であり、変形可能である。排水トラップ６は、その上流端部が、ボウル部２の底部の排水口２１に接続されている。排水トラップ６は、トラップケース（図示せず）に収容されており、トラップケースの底部分に設けられた排出口が、下水管につながる横引きの排水配管（図示せず）に接続されている。
【００２１】
移動装置７は、排水トラップ６の下流端部を保持する保持部７０と、保持部７０に一端部が接続されたアーム部７１と、アーム部７１の他端部に回転軸が固定された駆動モーター７２とを有する。駆動モーター７２は、制御装置５によって回転軸の回転方向や回転速度が制御される。これにより、可動式の排水トラップ６は、下位置と上位置との間で移動可能である。
【００２２】
下位置は、ボウル部２内の洗浄水と汚物（大便、小便、トイレットペーパー等）とが排水トラップ６を通じて排出される位置である。上位置は、ボウル部２の所定の封水高さＳ１まで洗浄水を溜めることができる位置である。
【００２３】
本実施形態では、図１Ｂ及び図１Ｄに示すように、排水トラップ６が下位置にあるとき、排水トラップ６の下流端の開口６０が、後斜め下方を向く。また、図１Ａに示すように、排水トラップ６が上位置にあるとき、排水トラップ６の下流端の開口６０が、後斜め上方を向く。このとき、排水トラップ６の下流端の開口６０における最下部（本実施形態では開口６０の後端部）が、ボウル部２の所定の封水高さＳ１と同じ高さに位置する。
【００２４】
排水トラップ６は、制御装置５によって制御されることで、図１Ｃに示す、下位置と上位置との間の位置であって、洗浄水がボウル部２の所定の封水高さＳ１よりも低い第二封水高さＳ２まで溜まる中間位置に位置することができる。第二封水高さＳ２は、本実施形態では、ボウル部２の底部の筒部２０の上端と同じ高さである。なお、第二封水高さＳ２は、ボウル部２の筒部２０が封水される高さであればよく、所定の封水高さＳ１と、ボウル部２の筒部２０の上端との間の、任意の高さであってもよい。
【００２５】
排水トラップ６が中間位置にあるとき、排水トラップ６の下流端の開口６０は、後ろ斜め上方を向く。このとき、排水トラップ６の下流端の開口６０における最下部（本実施形態では開口６０の後端部）が、ボウル部２の第二封水高さＳ２と同じ高さに位置する。
【００２６】
１−２−４．制御装置
制御装置５は、例えば、ＣＰＵ（Ｃｅｎｔｒａｌ  Ｐｒｏｃｅｓｓｉｎｇ  Ｕｎｉｔ：中央処理装置）等のプロセッサ及びメモリを含むコンピュータ（マイクロコンピュータを含む）を有する。制御装置５は、メモリに記憶された適宜のプログラムを実行することにより、給水部３及び排出部４を制御する。制御装置５は、給水部３の電磁弁３３と排出部４の駆動モーター７２のそれぞれに対して電気的に接続されている。制御装置５は、水洗便器１の内部、例えば、上部ケース１４の内部に収容されている。
【００２７】
１−２―５．水洗便器の動作
続いて、本実施形態の水洗便器１の動作について説明する。
【００２８】
利用者が水洗便器１を利用した後に、利用者が便器洗浄スイッチを押すと（時間ｔ０）、図１Ｂ及び図２に示すように、制御装置５は、給水部３の電磁弁３３を開操作して、給水部３からボウル部２に洗浄水を供給する。またこのとき、制御装置５は、排出部４の駆動モーター７２を駆動して、排水トラップ６を上位置から下位置に移動させる。これにより、ボウル部２に溜まっていた洗浄水と汚物と、給水部３から新たに供給された洗浄水が、排水トラップ６の開口６０から排出される。排水トラップ６の開口６０から排出された１回目の洗浄水等は、水洗便器１に接続された横引きの排水配管に流れ込む。
【００２９】
次いで、所定の時間ｔ１が経過して、排水トラップ６の開口６０から排出される洗浄水の排水量の推定量が、所定の第一排水量Ｌ１となる。このとき（時間ｔ１）、制御装置５は、図１Ｃ及び図２に示すように、排出部４の駆動モーター７２を駆動して、排水トラップ６を下位置から中間位置に移動させる。言い換えると、制御装置５は、下位置にある可動式の排水トラップ６を、下位置と上位置との間の位置であって、洗浄水がボウル部２の所定の封水高さＳ１よりも低い第二封水高さＳ２まで溜まる中間位置に移動させる制御を行う。
【００３０】
次いで、所定の時間ｔ２が経過し、給水部３からボウル部２に供給された洗浄水が、ボウル部２の第二封水高さＳ２まで溜まる。このとき（時間ｔ２）、制御装置５は、図１Ｄ及び図２に示すように、排出部４の駆動モーター７２を駆動して、排水トラップ６を中間位置から下位置に移動させる。これにより、ボウル部２と排水トラップ６に溜まった洗浄水等と、給水部３からボウル部２に新たに供給された洗浄水が、排水トラップ６の開口６０から排出される。
【００３１】
次いで、所定の時間ｔ３が経過し、排水トラップ６の開口６０から排出される洗浄水の排水量の推定量が、所定の第二排水量Ｌ２となる。このとき（時間ｔ３）、制御装置５は、図１Ａ及び図２に示すように、排出部４の駆動モーター７２を駆動して、排水トラップ６を下位置から上位置に移動させる。本実施形態では、時間ｔ０と時間ｔ２の差、つまり、１回目の排水（詳しくは排水開始）から２回目の排水（詳しくは排水開始）までの時間は、５秒以下である。
【００３２】
排水トラップ６の開口６０から排出された２回目の洗浄水等は、水洗便器１に接続された横引きの排水配管に流れ込み、排水配管内において１回目の洗浄水等の流れに追いついて搬送性を向上させることができる。
【００３３】
次いで、所定の時間ｔ４が経過し、給水部３から供給された洗浄水が、ボウル部２内の所定の封水高さＳ１まで溜まる。このとき（時間ｔ４）、制御装置５は、図１Ａ及び図２に示すように、給水部３の電磁弁３３を閉操作して、給水部３からボウル部２への洗浄水の供給を停止する。
【００３４】
本実施形態の水洗便器１では、第一排水量Ｌ１と第二排水量Ｌ２の比が、１：０．２から１：１．２の範囲となるように、制御装置５が、給水部３及び排出部４を制御する。
【００３５】
図３には、第一排水量Ｌ１と、第二排水量Ｌ２と、水洗便器１に接続された横引きの排水配管を流れる洗浄水等の最終到達距離との関係が示されている。
【００３６】
第一排水量Ｌ１と第二排水量Ｌ２の合計水量は、本実施形態では、４．８リットルである。この合計水量は、一般的な節水型の水洗便器において、一度の排水で汚物等を流すときの水量と同程度の水量である。
【００３７】
第一排水量Ｌ１と第二排水量Ｌ２の組み合わせは、ケース１では、第一排水量Ｌ１が４．０リットルのとき、第二排水量Ｌ２が０．８リットルである。このとき、第一排水量Ｌ１と第二排水量Ｌ２の比は、１：０．２である。ケース２では、第一排水量Ｌ１が３．４リットルのとき、第二排水量Ｌ２が１．４リットルである。このとき、第一排水量Ｌ１と第二排水量Ｌ２の比は、１：０．４である。ケース３では、第一排水量Ｌ１が２．８リットルのとき、第二排水量Ｌ２が２．０リットルである。このとき、第一排水量Ｌ１と第二排水量Ｌ２の比は、１：０．７である。ケース４では、第一排水量Ｌ１が２．２リットルのとき、第二排水量Ｌ２が２．６リットルである。このとき、第一排水量Ｌ１と第二排水量Ｌ２の比は、１：１．２である。
【００３８】
図３からわかるように、制御装置５は、第一排水量Ｌ１と第二排水量Ｌ２の比が、１：０．４から１：１の範囲となるように、給水部３及び排出部４を制御することが好ましい。この場合、横引きの排水配管内における洗浄水の汚物の搬送性が向上しやすい。なお、第一排水量Ｌ１と第二排水量Ｌ２の比が、１：０．２から１：０．４の範囲や、１：１から１：１．２の範囲になる場合でも、必要な搬送性は確保できる。
【００３９】
ただし、第一排水量Ｌ１と第二排水量Ｌ２の比の適切な範囲は、第一排水量Ｌ１と第二排水量Ｌ２の合計水量や、排水配管の勾配等に応じて、適宜変更可能である。
【００４０】
１−２―６．作用効果
以上説明した本実施形態の水洗便器１では、給水部３からボウル部２に洗浄水を連続して供給する間に、排水配管に洗浄水を複数回に分けて流すことができる。
【００４１】
これにより、本実施形態の水洗便器１では、１回目の洗浄水の排水と２回目の洗浄水の排水の間隔を短くできるため、排水配管内において１回目の洗浄水と汚物が停滞する前に２回目の洗浄水の流れを追いつかせやすい。そのため、本実施形態の水洗便器１では、２回目の洗浄水の水量を抑えることができる。加えて、本実施形態の水洗便器１では、２回目の洗浄水の流れによって１回目の洗浄水の汚物の搬送性を高めることができるため、１回目の洗浄水の水量も抑えることができる。
【００４２】
したがって、本実施形態の水洗便器１では、節水ができるうえ、排水配管内における汚物の搬送性を確保しやすい。また本実施形態の水洗便器１では、１回目と２回目の洗浄水の排水量Ｌ１，Ｌ２の比が、上記関係にあるため、２回目の洗浄水の排水量が少な過ぎて搬送性の確保に寄与できなくなることを防ぐことができる。
【００４３】
また、本実施形態の水洗便器１では、給水部３から供給される所定量の洗浄水を複数回に分けて、排水配管に流すことができるため、排水配管に一度に多量の洗浄水が流れ込むことを防いで、排水配管にかかる負荷を抑えることができる。
【００４４】
また、本実施形態の水洗便器１では、１回目の排水の後、下位置にある排水トラップ６を上位置よりも低い中間位置までしか移動させないため、２回目の排水を行う際に、排水トラップ６を下位置へと移動させる時間を短くすることができる。そのため、本実施形態の水洗便器１では、１回目の排水と２回目の排水の間隔を短くしやすくて、排水配管内において１回目の排水の流れに２回目の排水の流れが追いつきやすい。
【００４５】
１−３．変形例
以上説明した本実施形態の水洗便器１は、下記の変形例を採用可能である。なお、下記の変形例は、適宜組み合わせ可能である。
【００４６】
給水部３は、水道管等の給水源３１から供給された水を一旦溜めることができる貯水タンクを更に備えてもよく、貯水タンクの底部に給水管３２が接続されていてもよい。この場合、貯水タンクは、底部の排水口を開閉する開閉弁を備えてもよく、この開閉弁の開閉を制御装置５で制御してもよい。
【００４７】
また、給水部３からボウル部２に洗浄水を連続して供給する間に、排出部４が洗浄水を排水する動作は、２回に限らず、３回以上であってもよい。
【００４８】
また、水洗便器１は、利用者が水洗便器１を利用したことを検知するセンサーを備えてもよく、このセンサーが利用者の水洗便器１の利用終了を検知したときに、制御装置５による給水部３及び排出部４の制御を開始してもよい。
【００４９】
また、排出部４は、可動式の排水トラップ６を、上位置と下位置との間で移動させる移動装置７であればよい。上位置と下位置との間での排水トラップ６の移動は、回転移動に限らず、直線移動であってもよい。
【００５０】
２．実施形態２
続いて、図４ＡからＤ及び図５に示す実施形態２の水洗便器１について詳しく説明する。以下では、実施形態２の水洗便器１について、実施形態１の水洗便器１と同様の構成については図中に符号を付して詳しい説明を省略し、実施形態１の水洗便器１と異なる構成については詳しく説明する。
【００５１】
２−１．詳細
本実施形態の水洗便器１は、可動式の排水トラップ６に代えて、ボウル部２の底部につながった固定式の排水トラップ８を更に備える。排出部４は、ボウル部２の底部から排水トラップ８に向けて水を噴射する噴射装置９である。
【００５２】
２−１−１．排水トラップ
固定式の排水トラップ８は、その上流側の端部が、ボウル部２の底部の筒部２０の先端部（後端部）に接続され、その下流側の端部が、横引きの排水配管に接続される。排水トラップ８は、略Ｓ字状に曲がっており、その中間部分には、排水トラップ８の壁の一部で形成され、上端の高さが、ボウル部２の所定の封水高さＳ１と同じ高さに位置する堰８０を有する。  
【００５３】
２−１−２．噴射装置
噴射装置９は、図４Ｂに示すように、ボウル部２の底部のうち、排水口２１に対向する壁に設けられた噴射口９０と、噴射口９０と給水源とをつなぐ給水管９１と、給水管９１の一部に設けられたポンプ（図示せず）と、を有する。本実施形態では、給水管９１は、給水部３の給水源３１につながっている。なお、給水管９１は、給水源３１とは別の給水源につながっていてもよい。ポンプの駆動は、制御装置５によって制御される。噴射装置９は、噴射口９０から排水トラップ８に向けて水を勢いよく噴射することで、排水トラップ８にサイホン作用を発生させて、ボウル部２及び排水トラップ８内の洗浄水を排出させることができる。
【００５４】
２−１−３．水洗便器の動作
続いて、本実施形態の水洗便器の動作について説明する。
【００５５】
利用者が水洗便器１を利用した後に、利用者が便器洗浄スイッチを押すと（時間ｔ０）、図４Ｂ及び図５に示すように、制御装置５は、給水部３の電磁弁３３を開操作して、給水部３からボウル部２に洗浄水を供給する。またこのとき、制御装置５は、噴射装置９のポンプを駆動して、噴射口９０から排水トラップ８に向けて勢いよく洗浄水を噴射して排水トラップ８にサイホン作用を生じさせる。これにより、ボウル部２に溜まっていた洗浄水と汚物と、給水部３から新たに供給された洗浄水が、排水トラップ８から排出される。排水トラップ８から排出された１回目の洗浄水等は、水洗便器１に接続された横引きの排水配管に流れ込む。
【００５６】
次いで、所定の時間ｔ５が経過して、排水トラップ８から排出される洗浄水の排水量の推定量が、所定の第一排水量Ｌ１となる。このとき（時間ｔ５）、制御装置５は、図４Ｃ及び図５に示すように、噴射装置９のポンプの駆動を停止する。
【００５７】
次いで、所定の時間ｔ６が経過し、給水部３からボウル部２に供給された洗浄水が、ボウル部２の第二封水高さＳ２まで溜まる。このとき（時間ｔ６）、制御装置５は、図４Ｄ及び図５に示すように、噴射装置９のポンプを駆動して、排水トラップ８にサイホン作用を生じさせる。これにより、ボウル部２と排水トラップ８に溜まった洗浄水と、給水部３からボウル部２に新たに供給された洗浄水が、排水トラップ８から排出される。
【００５８】
次いで、所定の時間ｔ７が経過し、排水トラップ６の開口６０から排出される洗浄水の排水量の推定量が、所定の第二排水量Ｌ２となる。このとき（時間ｔ７）、制御装置５は、図４Ａ及び図５に示すように、制御装置５は、噴射装置９のポンプの駆動を停止する。本実施形態では、時間ｔ０と時間ｔ６の差、つまり、１回目の排水（詳しくは排水開始）から２回目の排水（詳しくは排水開始）までの時間は、５秒以下である。
【００５９】
排水トラップ８から排出された２回目の洗浄水等は、水洗便器１に接続された横引きの排水配管に流れ込み、排水配管内において１回目の洗浄水等の流れに追いついて搬送性を向上させることができる。
【００６０】
次いで、所定の時間ｔ８が経過し、給水部３から供給された洗浄水が、ボウル部２内の所定の封水高さＳ１まで溜まる。このとき（ｔ８）、制御装置５は、図４Ａ及び図５に示すように、給水部３の電磁弁３３を閉操作して、給水部３からボウル部２への洗浄水の供給を停止する。
【００６１】
本実施形態の水洗便器１においても、実施形態１の水洗便器１と同様に、第一排水量Ｌ１と第二排水量Ｌ２の比が、１：０．２から１：１．２の範囲となるように、制御装置５が、給水部３及び排出部４を制御する。第一排水量Ｌ１と第二排水量Ｌ２の合計水量は、一般的な節水型の水洗便器において、一度の排水で汚物等を流すときの水量と同程度の水量である。第一排水量Ｌ１と第二排水量Ｌ２の組み合わせとしては、例えば、図３に示すケース１からケース４が挙げられる。
【００６２】
２−１―４．作用効果
以上説明した本実施形態の水洗便器１においても、給水部３からボウル部２に洗浄水を連続して供給する間に、排水配管に洗浄水を複数回に分けて流すことができる。そのため、本実施形態の水洗便器１では、節水ができるうえ、排水配管内における汚物の搬送性を確保しやすい。
【００６３】
２−２．変形例
実施形態２の水洗便器１は、上述した実施形態１の水洗便器１の変形例と同様の変形例を採用してもよい。
【００６４】
３．実施形態３
続いて、図６ＡからＤ及び図７に示す実施形態３の水洗便器１について詳しく説明する。以下では、実施形態３の水洗便器１について、実施形態１の水洗便器１と同様の構成については図中に符号を付して詳しい説明を省略し、実施形態１の水洗便器１と異なる構成については詳しく説明する。
【００６５】
３−１．詳細
本実施形態の水洗便器１では、排出部４は、ボウル部２の底部に設けられた排水口２１を開閉する開閉装置１５である。水洗便器１は、可動式の排水トラップ６を備えていない。
【００６６】
３−１−１．開閉装置
開閉装置１５は、ボウル部２の排水口２１を塞ぐ蓋１５０と、蓋１５０を排水口２１を塞ぐ閉位置と、排水口２１を開放する開位置とに切り替える切替装置と、を有する。本実施形態では、蓋１５０は、上端部を中心に回転自在に設けられたフラップである。切替装置は、蓋１５０の上端部に接続された回転軸を有する駆動モーターである。駆動モーターは、制御装置５によって制御される。  
【００６７】
３−１−２．水洗便器の動作
続いて、本実施形態の水洗便器１の動作について説明する。
【００６８】
利用者が水洗便器１を利用した後に、利用者が便器洗浄スイッチを押すと（時間ｔ０）、図６Ｂ及び図７に示すように、制御装置５は、給水部３の電磁弁３３を開操作して、給水部３からボウル部２に洗浄水を供給する。またこのとき、制御装置５は、開閉装置１５の駆動モーターを駆動して、蓋１５０をボウル部２の排水口２１を開放する開位置へと移動させる。これにより、ボウル部２に溜まっていた洗浄水と汚物と、給水部３から新たに供給された洗浄水が、ボウル部２の排水口２１から排出される。ボウル部２の排水口２１から排出された１回目の洗浄水等は、水洗便器１に接続された横引きの排水配管に流れ込む。
【００６９】
次いで、所定の時間ｔ９が経過して、ボウル部２の排水口２１から排出される洗浄水の排水量の推定量が、所定の第一排水量Ｌ１となる。このとき（時間ｔ９）、制御装置５は、図６Ｃ及び図７に示すように、開閉装置１５の駆動モーターを駆動して、蓋１５０をボウル部２の排水口２１を塞ぐ閉位置へと移動させる。
【００７０】
次いで、所定の時間ｔ１０が経過し、給水部３からボウル部２に供給された洗浄水が、ボウル部２の所定の高さまで溜まる。このとき（時間ｔ１０）、制御装置５は、図６Ｄ及び図７に示すように、開閉装置１５の駆動モーターを駆動して、蓋１５０をボウル部２の排水口２１を開放する開位置へと移動させる。これにより、給水部３からボウル部２に新たに供給された洗浄水が、ボウル部２の排水口２１から排出される。
【００７１】
次いで、所定の時間ｔ１１が経過し、ボウル部２の排水口２１から排出される洗浄水の排水量の推定量が、所定の第二排水量Ｌ２となる。このとき（時間ｔ１１）、制御装置５は、図６Ａ及び図７に示すように、開閉装置１５の駆動モーターを駆動して、蓋１５０をボウル部２の排水口２１を塞ぐ閉位置へと移動させる。本実施形態では、時間ｔ０と時間ｔ１０の差、つまり、１回目の排水（詳しくは排水開始）から２回目の排水（詳しくは排水開始）までの時間は、５秒以下である。
【００７２】
ボウル部２の排水口２１から排出された２回目の洗浄水等は、水洗便器１に接続された横引きの排水配管に流れ込み、排水配管内において１回目の洗浄水等の流れに追いついて搬送性を向上させることができる。
【００７３】
次いで、所定の時間ｔ１２が経過し、給水部３から供給された洗浄水が、ボウル部２内の所定の封水高さＳ１まで溜まる。このとき（時間ｔ１２）、制御装置５は、図６Ａ及び図７に示すように、給水部３の電磁弁３３を閉操作して、給水部３からボウル部２への洗浄水の供給を停止する。
【００７４】
本実施形態の水洗便器１においても、実施形態１の水洗便器１と同様に、第一排水量Ｌ１と第二排水量Ｌ２の比が、１：０．２から１：１．２の範囲となるように、制御装置５が、給水部３及び排出部４を制御する。第一排水量Ｌ１と第二排水量Ｌ２の合計水量は、一般的な節水型の水洗便器において、一度の排水で汚物等を流すときの水量と同程度の水量である。第一排水量Ｌ１と第二排水量Ｌ２の組み合わせとしては、例えば、図３に示すケース１からケース４が挙げられる。
【００７５】
３−１―３．作用効果
以上説明した本実施形態の水洗便器１においても、給水部３からボウル部２に洗浄水を連続して供給する間に、排水配管に洗浄水を複数回に分けて流すことができる。そのため、本実施形態の水洗便器１では、節水ができるうえ、排水配管内における汚物の搬送性を確保しやすい。
【００７６】
３−２．変形例
実施形態３の水洗便器１は、上述した実施形態１の水洗便器１の変形例と同様の変形例を採用してもよい。
【００７７】
４．まとめ
以上説明した実施形態１から３及びその変形例のように、第一態様の水洗便器（１）は、下記の構成を備える。
【００７８】
すなわち、第一態様の水洗便器（１）は、ボウル部（２）と、ボウル部（２）に洗浄水を供給する給水部（３）と、ボウル部（２）に溜まった洗浄水を排水配管へと排出させる排出部（４）と、給水部（３）及び排出部（４）を制御する制御装置（５）と、を備える。制御装置（５）は、給水部（３）がボウル部（２）に洗浄水を連続して供給する間に、排出部（４）が洗浄水を排出させる動作を複数回行い、かつ、排出部（４）が洗浄水を排出させる１回目の動作のときの第一排水量と、排出部（４）が洗浄水を排出させる２回目の動作のときの第二排水量との比が、１：０．２から１：１．２の範囲となるように、給水部（３）及び排出部（４）を制御する。
【００７９】
上記構成を備える第一態様の水洗便器（１）では、給水部（３）からボウル部（２）に洗浄水を連続して供給する間に、水洗便器（１）に接続される横引きの排水配管に洗浄水を複数回に分けて流すことができる。これにより、第一態様の水洗便器（１）では、１回目の洗浄水の排水と２回目の洗浄水の排水の間隔を短くできるため、排水配管内において１回目の洗浄水と汚物が停滞する前に２回目の洗浄水の流れを追いつかせやすい。そのため、第一態様の水洗便器（１）では、２回目の洗浄水の水量を抑えることができる。加えて、第一態様の水洗便器（１）では、２回目の洗浄水の流れによって１回目の洗浄水の流れの搬送性を高めることができるため、１回目の洗浄水の水量も抑えることができる。したがって、第一態様の水洗便器（１）では、節水ができるうえ、排水配管内における異物の搬送性を確保しやすい。また第一態様の水洗便器（１）では、１回目と２回目の洗浄水の排水量（Ｌ１，Ｌ２）の比が上記関係にあるため、２回目の洗浄水の排水量が少な過ぎて搬送性の確保に寄与できなくなることを防ぐことができる。
【００８０】
また、実施形態１及びその変形例のように、第二態様の水洗便器（１）は、第一態様の構成に加えて、下記の構成を付加的に備える。
【００８１】
すなわち、第二態様の水洗便器（１）は、ボウル部（２）の底部につながった可動式の排水トラップ（６）を更に備える。排出部（４）は、排水トラップ（６）を、洗浄水が排出される下位置と、洗浄水がボウル部（２）の所定の封水高さ（Ｓ１）まで溜めることができる上位置との間で移動させる移動装置（７）である。
【００８２】
上記構成を備える第二態様の水洗便器（１）では、移動装置（７）によって可動式の排水トラップ（６）を下位置へ移動させることで、ボウル部（２）内の汚物を押し流すために必要な水量を抑えることができて、より節水が図れる。
【００８３】
また、実施形態１及びその変形例のように、第三態様の水洗便器（１）は、第二態様の構成に加えて、下記の構成を付加的に備える。
【００８４】
すなわち、第三態様の水洗便器（１）では、制御装置（５）は、下位置にある排水トラップ（６）を、下位置と上位置との間の位置であって、洗浄水がボウル部（２）の所定の封水高さ（Ｓ１）よりも低い第二封水高さ（Ｓ２）まで溜まる中間位置に移動させる制御を行う。
【００８５】
上記構成を備える第三態様の水洗便器（１）では、１回目の排水の位置（下位置）から、ボウル部（２）に水を溜める位置（中間位置）までの排水トラップ（６）の移動にかかる時間を、短くすることができる。加えて、第三態様の水洗便器（１）では、ボウル部（２）に水を溜める位置（中間位置）から２回目の排水の位置（下位置）までの排水トラップ（６）の移動にかかる時間も、短くすることができる。そのため、第三態様の水洗便器（１）では、１回目の排水と２回目の排水の間隔を短くでき、排水配管内において１回目の排水に２回目の排水を追いつかせやすくて、搬送性を確保しやすい。
【００８６】
また、実施形態２及びその変形例のように、第四態様の水洗便器（１）は、第一態様の構成に加えて、下記の構成を付加的に備える。
【００８７】
すなわち、第四態様の水洗便器（１）は、ボウル部（２）の底部につながった固定式の排水トラップ（８）を更に備える。排出部（４）は、ボウル部（２）の底部から排水トラップ（８）に向けて水を噴射する噴射装置（９）である。
【００８８】
上記構成を備える第四態様の水洗便器（１）では、噴射装置（９）から水を排水トラップ（８）に向けて勢いよく噴射することで、排水トラップ（８）にサイホン作用を生じさせて、ボウル部（２）内の洗浄水及び汚物を、排水トラップ（８）を通じて排出することができる。第四態様の水洗便器（１）では、噴射装置（９）の駆動のオンオフの切り替えが瞬間的に行えるため、１回目の排水と２回目の排水の間隔を短くでき、排水配管内において１回目の排水に２回目の排水を追いつかせやすくて、搬送性を確保しやすい。
【００８９】
また、実施形態３及びその変形例のように、第五態様の水洗便器（１）は、第一態様の構成に加えて、下記の構成を付加的に備える。
【００９０】
すなわち、第五態様の水洗便器（１）では、排出部（４）は、ボウル部（２）の底部に設けられた排水口（２１）を開閉する開閉装置（１５）である。
【００９１】
上記構成を備える第五態様の水洗便器（１）では、開閉装置（１５）によってボウル部（２）の排水口（２１）を開閉することで、ボウル部（２）内の洗浄水及び汚物を排出する状態と、ボウル部（２）内に洗浄水を溜める状態とを切り替えることができる。そのため、第五態様の水洗便器（１）では、１回目の排水と２回目の排水の間隔を短くでき、排水配管内において１回目の排水に２回目の排水を追いつかせやすくて、搬送性を確保しやすい。
【００９２】
以上、本開示を添付図面に示す実施形態に基づいて説明したが、本開示は上記の実施形態に限定されるものではなく、本開示の意図する範囲内であれば、適宜の設計変更が可能である。
【符号の説明】
【００９３】
１      水洗便器
２      ボウル部
２１    排水口
３      給水部
４      排出部
５      制御装置
６      排水トラップ（可動式）
７      移動装置
８      排水トラップ（固定式）
９      噴射装置
１５    開閉装置
Ｌ１    第一排水量
Ｌ２    第二排水量
Ｓ１    所定の封水高さ
Ｓ２    第二封水高さ
【要約】
【課題】節水ができるうえ、水洗便器に接続される横引きの排水配管内における汚物の搬送性を確保することができる水洗便器を提供する。
【解決手段】水洗便器１は、ボウル部２と、ボウル部２に洗浄水を供給する給水部３と、ボウル部２に溜まった洗浄水を排水配管へと排出させる排出部４と、給水部３及び排出部４を制御する制御装置５と、を備える。制御装置５は、給水部３がボウル部２に洗浄水を連続して供給する間に、排出部４が洗浄水を排出させる動作を複数回行い、かつ、排出部４が洗浄水を排出させる１回目の動作のときの第一排水量と、排出部４が洗浄水を排出させる２回目の動作のときの第二排水量との比が、１：０．２から１：１．２の範囲となるように、給水部３及び排出部４を制御する。
【選択図】図１【図１】
0006832515.tif 000002
【図２】
0006832515.tif 000003
【図３】
0006832515.tif 000004
【図４】
0006832515.tif 000005
【図５】
0006832515.tif 000006
【図６】
0006832515.tif 000007
【図７】
0006832515.tif 000008